(57)【要約】【課題】配信情報の種類に関わらず、ユーザにとって適切な出力形式で配信情報を出力する。【解決手段】本発明の情報配信システム１は、配信サーバ１０と端末装置３０とがネットワーク７０を介して接続された情報配信システム１である。配信サーバ１０は、端末装置３０に配信すべき配信情報を取得する配信情報取得部１２０と、配信情報の出力形式の選択に用いられる複数の出力パラメータを設定する出力パラメータ設定部１２２と、複数の出力パラメータを配信情報に付与し、複数の出力パラメータが付与された配信情報を端末装置３０に送信するサーバ送信部１２４と、を備える。端末装置３０は、複数の出力パラメータが付与された配信情報を受信する端末受信部３２０と、走行環境を検出する走行環境検出部４０と、配信情報に付与された複数の出力パラメータと、走行環境と、に基づいて、配信情報の出力形式を選択する出力形式選択部３２２と、出力形式選択部３２２が選択した出力形式に基づいて、配信情報を出力する出力制御部３２４と、を備える。【選択図】図１
2013105455.tif 000002
【特許請求の範囲】
【請求項１】
配信サーバと端末装置とがネットワークを介して接続された情報配信システムであって、
前記配信サーバは、
前記端末装置に配信すべき配信情報を取得する配信情報取得手段と、
前記配信情報の出力形式の選択に用いられる複数の出力パラメータを設定する出力パラメータ設定手段と、
前記複数の出力パラメータを前記配信情報に付与し、前記複数の出力パラメータが付与された前記配信情報を前記端末装置に送信するサーバ送信手段と、を備え、
前記端末装置は、
前記複数の出力パラメータが付与された前記配信情報を受信する端末受信手段と、
走行環境を検出する走行環境検出手段と、
前記配信情報に付与された前記複数の出力パラメータと、前記走行環境と、に基づいて、前記配信情報の出力形式を選択する出力形式選択手段と、
前記出力形式選択手段が選択した出力形式に基づいて、前記配信情報を出力する出力制御手段と、を備えたことを特徴とする情報配信システム。
【請求項２】
前記複数の出力パラメータは、前記配信情報の出力タイミングを決める重要度と、前記配信情報の出力態様を決める緊急度と、を含み、
前記出力形式選択手段は、前記緊急度に基づいて前記出力タイミングを選択し、前記重要度に基づいて前記出力態様を選択する、請求項１に記載の情報配信システム。
【請求項３】
前記出力形式選択手段は、さらに、前記走行環境に基づいて、前記出力タイミング及び前記出力態様の少なくとも１つを選択する、請求項２に記載の情報配信システム。
【請求項４】
前記端末装置は、前記走行環境に基づいて、前記配信情報に付与された前記複数の出力パラメータの少なくとも１つを補正する出力パラメータ補正手段をさらに備え、
前記出力形式選択手段は、前記出力パラメータ補正手段が補正した前記複数の出力パラメータと、前記走行環境と、に基づいて、前記配信情報の出力形式を選択する、請求項１乃至３の何れかに記載の情報配信システム。
【請求項５】
前記出力パラメータ補正手段は、前記端末装置が前記配信情報を受信した受信時刻からの経過時間に基づいて、前記複数の出力パラメータの少なくとも１つを補正する、請求項４に記載の情報配信システム。
【請求項６】
前記サーバ送信手段は、前記複数の出力パラメータと、前記出力パラメータ補正手段が用いる補正パラメータと、を前記配信情報に付与し、
前記出力パラメータ補正手段は、前記複数の出力パラメータと、前記走行環境と、前記補正パラメータと、に基づいて、前記複数の出力パラメータの少なくとも１つを補正する、請求項４又は５に記載の情報配信システム。
【請求項７】
前記補正パラメータは、時間に応じた出力形式を指定するための時間指定パラメータを含み、
前記出力パラメータ補正手段は、前記時間指定パラメータに基づいて、前記複数の出力パラメータの少なくとも１つを補正する、請求項６に記載の情報配信システム。
【請求項８】
前記補正パラメータは、前記走行環境に応じた出力形式を指定するための走行環境指定パラメータを含み、
前記出力パラメータ補正手段は、前記走行環境と、前記走行環境指定パラメータと、に基づいて、前記複数の出力パラメータの少なくとも１つを補正する、請求項６又は７に記載の情報配信システム。
【請求項９】
前記補正パラメータは、ユーザに応じた出力形式を指定するためのユーザ属性パラメータであり、
前記出力パラメータ補正手段は、前記走行環境と、前記ユーザ属性パラメータと、に基づいて、前記複数の出力パラメータの少なくとも１つを補正する、請求項６乃至８の何れかに記載の情報配信システム。
【請求項１０】
前記配信サーバは、前記複数の出力パラメータに基づいて、前記配信情報を送信する送信タイミングを決定する送信タイミング決定手段をさらに備える、請求項１乃至９の何れかに記載の情報配信システム。
【請求項１１】
前記端末装置は、前記配信サーバに対して、前記走行環境を送信する端末送信手段をさらに備え、
前記配信サーバは、前記端末送信手段が送信した前記走行環境を受信するサーバ受信手段をさらに備え、
前記出力パラメータ設定手段は、前記端末送信手段が送信した走行環境に基づいて、前記複数の出力パラメータの少なくとも１つを設定する、請求項１乃至１０の何れかに記載の情報配信システム。
【請求項１２】
前記端末装置は、前記配信サーバに対して、前記走行環境を送信する端末送信手段をさらに備え、
前記配信サーバは、
前記端末送信手段が送信した前記走行環境を受信するサーバ受信手段と、
前記端末送信手段が送信した走行環境に基づいて、前記配信情報を送信する送信タイミングを決定する送信タイミング決定手段と、をさらに備える、請求項１乃至１１の何れかに記載の情報配信システム。
【請求項１３】
前記出力形式選択手段は、前記サーバ受信手段が複数の配信情報を受信した場合に、前記複数の出力パラメータに基づいて、前記複数の配信情報の出力順序を選択する、請求項１乃至１２の何れかに記載の情報配信システム。
【請求項１４】
前記端末装置は、さらに、
前記出力制御手段が出力した配信情報の画像を表示する表示手段及び前記出力制御手段が出力した配信情報の音声を出力する音声出力手段の少なくとも１つを備え、
前記出力形式選択手段は、前記複数の出力パラメータと、前記走行環境と、に基づいて、前記表示手段及び前記音声出力手段の少なくとも１つを、前記配信情報の出力先として選択する、請求項１乃至１３の何れかに記載の情報配信システム。
【請求項１５】
前記端末装置は、さらに、前記出力制御手段が出力した配信情報の画像を表示する表示手段を備え、
前記出力形式選択手段は、前記複数の出力パラメータと、前記走行環境と、に基づいて、表示の位置、表示の色、及び表示のサイズの少なくとも１つをさらに決定する、請求項１乃至１４の何れかに記載の情報配信システム。
【請求項１６】
前記端末装置は、さらに、前記出力制御手段が出力した配信情報の音声を出力する音声出力手段を備え、
前記出力形式選択手段は、前記複数の出力パラメータと、前記走行環境と、に基づいて、音量、音質、及び再生速度の少なくとも１つをさらに決定する、請求項１乃至１５の何れかに記載の情報配信システム。
【請求項１７】
ネットワークを介して端末装置と接続可能な配信サーバであって、
前記端末装置に配信すべき配信情報を取得する配信情報取得手段と、
前記配信情報の出力形式の選択に用いられる複数の出力パラメータを設定する出力パラメータ設定手段と、
前記複数の出力パラメータを前記配信情報に付与し、前記複数の出力パラメータが付与された前記配信情報を前記端末装置に送信するサーバ送信手段と、を備えたことを特徴とする配信サーバ。
【請求項１８】
ネットワークを介して配信サーバと接続可能な端末装置であって、
前記配信情報の出力形式の選択に用いられる複数の出力パラメータが付与された配信情報を、前記配信サーバから受信する端末受信手段と、
走行環境を検出する走行環境検出手段と、
前記配信情報に付与された前記複数の出力パラメータと、前記走行環境と、に基づいて、前記配信情報の出力形式を選択する出力形式選択手段と、
前記出力形式選択手段が選択した出力形式に基づいて、前記配信情報を出力する出力制御手段と、を備えたことを特徴とする端末装置。
【発明の詳細な説明】
【技術分野】
【０００１】
本発明は、情報配信システム、配信サーバ、及び端末装置に関し、より詳しくは、配信情報を送信する配信サーバ、配信情報を出力する端末装置、当該配信サーバ及び当該端末装置を備える情報配信システムに関する。
【背景技術】
【０００２】
従来、外部から情報（例えば、ナビゲーション情報、緊急情報及び交通情報）取得し、取得した情報を適切な出力タイミングで出力するナビゲーション装置が知られている。
【０００３】
例えば、特許文献１は、情報の種類毎に情報出力の順序を示す優先度を設定し、走行状態（例えば、急旋回、右折、左折及び停車）に応じて、優先度に応じて情報を出力する出力タイミングを決定するナビゲーション装置を開示する。特許文献１では、トンネル事故等の緊急情報には高い優先度が設定され、渋滞情報等の交通情報には低い優先度が設定される。それにより、緊急情報は、走行状態に関わらず常に出力されるのに対して、渋滞情報は、急カーブ等の危険路の走行中には出力されず、直線等の安全路の走行中に出力される。
【先行技術文献】
【特許文献】
【０００４】
【特許文献１】特開平１０−１０４００２号公報
【発明の概要】
【発明が解決しようとする課題】
【０００５】
特許文献１のナビゲーション装置は、危険路の走行中に危険路の渋滞情報を取得した場合であっても、危険路の走行中に危険路の渋滞情報を出力するのではなく、危険路の走行後の安全路の走行中に危険路の渋滞情報を出力する。即ち、ユーザには、走行済の道の渋滞情報が出力される。しかしながら、渋滞情報に基づいてルートを選択するユーザにとっては、走行中の道又は走行前の道の渋滞情報は有用な情報であるが、走行済の道の渋滞情報は無用な情報である。換言すると、優先度が低く設定された渋滞情報は、ユーザにとって不適切な出力タイミングで出力される場合がある。
【０００６】
また、特許文献１のナビゲーション装置は、事故現場を通過した後に事故に関する緊急情報を取得した場合であっても、走行状態に関わらず事故に関する緊急情報を出力する。即ち、ユーザには、遭遇済の事故に関する緊急情報が出力される。しかしながら、事故現場を通過したユーザにとっては、遭遇前の事故に関する緊急情報は有用な情報であるが、遭遇済の事故に関する緊急情報は無用な情報である。換言すると、優先度が高く設定された緊急情報は、ユーザにとって不適切な出力タイミングで出力される場合がある。
【０００７】
また、従来のナビゲーション装置は、優先度が低く設定された情報であっても、重要な情報（例えば、経路の案内情報）の上に重ねて表示される場合がある。その結果、ユーザは、優先度が低く設定された情報が原因で、重要な情報を見ることができない。換言すると、ユーザにとって無用な情報が、不適切な出力態様で出力される場合がある。
【０００８】
以上のように、特許文献１のナビゲーション装置では、情報の種類毎に優先度が決められるので、ユーザにとって不適切な出力形式（出力タイミング又は出力態様）で情報が出力されるという問題がある。
【０００９】
本発明はこのような問題に鑑み、配信情報の種類に関わらず、ユーザにとって適切な出力形式で配信情報を出力できる情報配信システム、配信サーバ、及び端末装置を提供することを目的とする。
【課題を解決するための手段】
【００１０】
上記の課題を解決するために、本発明の情報配信システムは、配信サーバと端末装置とがネットワークを介して接続された情報配信システムである。前記配信サーバは、前記端末装置に配信すべき配信情報を取得する配信情報取得手段と、前記配信情報の出力形式の選択に用いられる複数の出力パラメータを設定する出力パラメータ設定手段と、前記複数の出力パラメータを前記配信情報に付与し、前記複数の出力パラメータが付与された前記配信情報を前記端末装置に送信するサーバ送信手段と、を備える。前記端末装置は、前記複数の出力パラメータが付与された前記配信情報を受信する端末受信手段と、走行環境を検出する走行環境検出手段と、前記配信情報に付与された前記複数の出力パラメータと、前記走行環境と、に基づいて、前記配信情報の出力形式を選択する出力形式選択手段と、前記出力形式選択手段が選択した出力形式に基づいて、前記配信情報を出力する出力制御手段と、を備える。
【発明の効果】
【００１１】
本発明によれば、配信情報の種類に関わらず、ユーザにとって適切な出力形式で配信情報を出力できる。
【図面の簡単な説明】
【００１２】
【図１】第１実施形態の情報配信システム１の構成を示すブロック図。
【図２】第１実施形態の情報配信処理の手順を示すフローチャート。
【図３】第１実施形態の出力パラメータの設定（図２のＳ１１２）及び出力形式の選択（図２のＳ１３４）のフローチャート。
【図４Ａ】第１実施形態の出力パラメータ設定テーブルのデータ構造の一例を示す図。
【図４Ｂ】第１実施形態の複数の出力パラメータが付与された配信情報のデータ構造の一例を示す図。
【図４Ｃ】第１実施形態の出力形式情報決定テーブルのデータ構造の一例を示す図。
【図５Ａ】第１実施形態の出力タイミング選択テーブルのデータ構造の一例を示す図。
【図５Ｂ】第１実施形態の出力態様選択テーブルのデータ構造の一例を示す図。
【図６】第２実施形態の端末制御部３２の構成を示すブロック図。
【図７】第２実施形態の出力パラメータの設定（図２のＳ１１２）及び出力形式の選択（図２のＳ１３４）のフローチャート。
【図８】第２実施形態の出力パラメータの補正（図７のＳ１３４−２０）の第１例の説明図。
【図９Ａ】第２実施形態の出力パラメータの補正（図７のＳ１３４−２０）の第２例の説明図。
【図９Ｂ】第２実施形態の出力パラメータの補正（図７のＳ１３４−２０）の第２例の説明図。
【図９Ｃ】第２実施形態の出力パラメータの補正（図７のＳ１３４−２０）の第２例の説明図。
【図９Ｄ】第２実施形態の出力パラメータの補正（図７のＳ１３４−２０）の第２例の説明図。
【図９Ｅ】第２実施形態の出力パラメータの補正（図７のＳ１３４−２０）の第３例の説明図である。
【図９Ｆ】第２実施形態の出力パラメータの補正（図７のＳ１３４−２０）の第３例の説明図である。
【図９Ｇ】第２実施形態の出力パラメータの補正（図７のＳ１３４−２０）の第３例の説明図である。
【図９Ｈ】第２実施形態の出力パラメータの補正（図７のＳ１３４−２０）の第４例の説明図である。
【図９Ｉ】第２実施形態の出力パラメータの補正（図７のＳ１３４−２０）の第５例の説明図である。
【図９Ｊ】第２実施形態の出力パラメータの補正（図７のＳ１３４−２０）の第５例の説明図である。
【図１０】第３実施形態のサーバ制御部１２及び端末制御部３２の構成を示すブロック図。
【図１１】第３実施形態の出力パラメータの設定（図２のＳ１１２）及び出力形式の選択（図２のＳ１３４）の第１例のフローチャート。
【図１２】第３実施形態の出力パラメータの設定（図２のＳ１１２）及び出力形式の選択（図２のＳ１３４）の第２例のフローチャート。
【図１３】第４実施形態のサーバ制御部１２及び端末制御部３２の構成を示すブロック図。
【図１４】第４実施形態の情報配信処理の手順を示すフローチャート。
【図１５】第４実施形態の属性パラメータが付与された配信情報のデータ構造の一例を示す図。
【発明を実施するための形態】
【００１３】
以下、本発明の実施形態について、図面を参照して詳細に説明する。
【００１４】
（第１実施形態）
第１実施形態について説明する。第１実施形態は、配信サーバが、複数の出力パラメータが付与された配信情報を端末装置に送信し、端末装置が、複数の出力パラメータに基づいて、配信情報の出力形式を選択する、という例である。
【００１５】
第１実施形態の情報配信システム１の構成について説明する。図１は、第１実施形態の情報配信システム１の構成を示すブロック図である。
【００１６】
図１に示すように、情報配信システム１は、配信サーバ１０と、端末装置３０と、情報サーバ５０と、ネットワーク７０と、を備える。配信サーバ１０、端末装置３０、及び情報サーバ５０は、互いに、ネットワーク７０を介して接続される。例えば、配信サーバ１０は、配信情報の配信に特化した専用サーバ、又は配信情報の配信以外の機能（例えば、経路探索機能）を有する汎用サーバ（例えば、経路探索サーバ）である。例えば、端末装置３０は、携帯電話、スマートフォン、タブレットデバイス、ノートブックコンピュータ、カーナビゲーションデバイス、又はポータブルナビゲーションデバイスである。例えば、ネットワーク７０は、有線ネットワーク又は無線ネットワークである。
【００１７】
配信サーバ１０は、配信情報を端末装置３０に送信する。配信サーバ１０は、サーバ制御部１２と、通信部１４と、記憶部１６と、を備える。
【００１８】
サーバ制御部１２は、配信サーバ１０を制御する。例えば、サーバ制御部１２は、コンピュータプロセッサである。このコンピュータプロセッサは、配信サーバ１０の制御プログラムを起動することによって、配信情報取得部１２０、出力パラメータ設定部１２２、及びサーバ送信部１２４として動作する。配信情報取得部１２０、出力パラメータ設定部１２２、及びサーバ送信部１２４の詳細については、後述する。
【００１９】
通信部１４は、配信サーバ１０とネットワーク７０との間の通信を制御する。
【００２０】
記憶部１６には、端末装置３０に配信すべき配信情報を含む配信情報データベースと、配信情報以外の様々な情報を含む情報データベースと、が予め記憶される。
【００２１】
端末装置３０は、配信サーバ１０が送信した配信情報を受信し、受信した配信情報を出力する。端末装置３０は、端末制御部３２と、通信部３４と、記憶部３６と、操作部３８と、走行環境検出部４０と、表示部４２と、音声出力部４４と、を備える。
【００２２】
端末制御部３２は、端末装置３０を制御する。例えば、端末制御部３２は、コンピュータプロセッサである。このコンピュータプロセッサは、端末装置３０の制御プログラムを起動することによって、端末受信部３２０、出力形式選択部３２２、及び出力制御部３２４として動作する。端末受信部３２０、出力形式選択部３２２、及び出力制御部３２４の詳細については、後述する。
【００２３】
通信部３４は、端末装置３０とネットワーク７０との間の通信を制御する。
【００２４】
操作部３８は、端末装置３０のユーザの指示を受け付ける。例えば、操作部３８は、端末装置３０の筐体上に設けられたハードキー、表示部４２上に表示されるソフトキー、又はユーザの声を認識する音声認識モジュールである。
【００２５】
走行環境検出部４０は、端末装置３０の走行環境（端末装置３０の位置、端末装置３０の走行状態（停止中又は走行中）、端末装置３０の走行方向（東西南北）、並びに、端末装置３０の走行速度（加速又は減速）の少なくとも１つ）を検出する。例えば、走行環境検出部４０は、ＧＰＳ（Ｇｌｏｂａｌ  Ｐｏｓｉｓｉｏｎｉｎｇ  Ｓｙｓｔｅｍ）及びジャイロセンサの組み合わせである。
【００２６】
表示部４２は、出力制御部３２４が出力した配信情報の画像を表示する。例えば、表示部４２は、液晶ディスプレイ又は有機ＥＬ（Ｅｌｅｃｔｒｏ  Ｌｕｍｉｎｅｓｃｅｎｃｅ）ディスプレイである。
【００２７】
音声出力部４４は、出力制御部３２４が出力した配信情報の音声を出力する。
【００２８】
情報サーバ５０は、配信情報データベースを備える。情報サーバ５０は、ネットワーク７０を介して、データベース内の配信情報を配信サーバ１０に送信する。
【００２９】
第１実施形態の情報配信処理について説明する。図２は、第１実施形態の情報配信処理の手順を示すフローチャートである。
【００３０】
＜Ｓ１１０＞  配信情報取得部１２０は、記憶部１６の配信情報データベース及び情報サーバ５０の配信情報データベースの少なくとも１つから、端末装置３０に配信すべき配信情報を取得する。
【００３１】
＜Ｓ１１２＞  出力パラメータ設定部１２２は、配信情報の出力形式の選択に用いられる複数の出力パラメータを設定する。Ｓ１１２の詳細については、後述する。
【００３２】
＜Ｓ１１４＞  サーバ送信部１２４は、出力パラメータ設定部１２２が設定した複数の出力パラメータを、配信情報取得部１２０が取得した配信情報に付与し、複数の出力パラメータが付与された配信情報を、ネットワーク７０を介して端末装置３０に送信する。
【００３３】
＜Ｓ１３０＞  端末受信部３２０は、ネットワーク７０を介して、サーバ送信部１２４が送信した配信情報を受信する。
【００３４】
＜Ｓ１３２＞  走行環境検出部４０は、端末装置３０の走行環境を検出する。
【００３５】
＜Ｓ１３４＞  出力形式選択部３２２は、端末受信部３２０が受信した配信情報に付与された複数の出力パラメータと、走行環境検出部４０が検出した走行環境と、に基づいて、配信情報の出力形式を選択する。Ｓ１３４の詳細については、後述する。
【００３６】
＜Ｓ１３６＞  出力制御部３２４は、出力形式選択部３２２が選択した出力形式で、配信情報を出力する。例えば、出力制御部３２４は、出力形式選択部３２２が選択した出力形式の画像データ及び音声データを生成し、生成した画像データを表示部４２へ出力し、生成した音声データを音声出力部４４へ出力する。これにより、出力形式選択部３２２が選択した出力形式で、表示部４２には配信情報の画像が表示され、音声出力部４４からは配信情報の音声が出力される。
【００３７】
第１実施形態の出力パラメータの設定（図２のＳ１１２）及び出力形式の選択（図２のＳ１３４）について説明する。図３は、第１実施形態の出力パラメータの設定（図２のＳ１１２）及び出力形式の選択（図２のＳ１３４）のフローチャートである。図４Ａは、第１実施形態の出力パラメータ設定テーブルのデータ構造の一例を示す図である。図４Ｂは、第１実施形態の複数の出力パラメータが付与された配信情報のデータ構造の一例を示す図である。図４Ｃは、第１実施形態の出力形式情報決定テーブルのデータ構造の一例を示す図である。図５Ａは、第１実施形態の出力タイミング選択テーブルのデータ構造の一例を示す図である。図５Ｂは、第１実施形態の出力態様選択テーブルのデータ構造の一例を示す図である。図４Ａの出力パラメータ設定テーブル及び図４Ｃの出力形式情報決定テーブルは、記憶部１６に予め記憶されている。図５Ａの出力タイミング選択テーブル及び図５Ｂの出力態様選択テーブルは、記憶部３６に予め記憶されている。
【００３８】
＜Ｓ１１２−１０＞  出力パラメータ設定部１２２は、緊急度を設定する。緊急度とは、配信情報の出力タイミングを決める出力パラメータである。例えば、出力パラメータ設定部１２２は、図４Ａの出力パラメータ設定テーブルを参照して、配信情報の種類に応じた緊急度を設定する。一例として、緊急地震速報及び迎車依頼（例えば、「迎えに来て。」という家族からのメッセージ）には緊急度「高」が設定され、点検案内（例えば、「車検期限が迫っています。」という車検を促すメッセージ）及びおすすめ情報（例えば、現在位置の付近のレストランのクーポン）には緊急度「低」が設定され、タイムサービス情報（例えば、現在位置の付近のスーパマーケットのタイムサービスの案内）には緊急度「中」が設定される。
【００３９】
＜Ｓ１１２−１２＞  出力パラメータ設定部１２２は、重要度を設定する。重要度とは、配信情報の出力態様を決める出力パラメータである。例えば、出力パラメータ設定部１２２は、図４Ａの出力パラメータ設定テーブルを参照して、配信情報の種類に応じた重要度を設定する。一例として、緊急地震速報には重要度「高」が設定され、迎車依頼及び点検案内には重要度「中」が設定され、おすすめ情報及びタイムサービス情報には重要度「低」が設定される。
【００４０】
図３のＳ１１２−１２が終了すると、図２のＳ１１４が実行される。その結果、図４Ｂの複数の出力パラメータ（緊急度及び重要度）が付与された配信情報が、配信サーバ１０から端末装置３０に送信される。Ｓ１１４が終了すると、図２のＳ１３０〜Ｓ１３２が実行される。Ｓ１３２が終了すると、図３のＳ１３４−１０が実行される。
【００４１】
＜Ｓ１３４−１０＞  出力形式選択部３２２は、配信サーバ１０が送信した複数の出力パラメータに基づいて、配信情報の出力形式の出力形式情報を決定する。出力形式情報とは、複数の出力パラメータに応じて決まる情報であって、配信情報の出力形式の選択に用いられる情報である。例えば、出力形式選択部３２２は、図４Ｃの出力形式情報決定テーブルを参照して、緊急度及び重要度の組み合わせに応じた出力形式情報を決定する。一例として、重要度「高」及び緊急度「高」の場合には出力形式情報が「１」に決まり、重要度「低」及び緊急度「低」の場合には出力形式情報が「６」に決まる。
【００４２】
＜Ｓ１３４−１２＞  出力形式選択部３２２は、Ｓ１３４−１０で決定した出力形式情報と、図２のＳ１３２で検出した走行環境と、に基づいて、出力タイミングを選択する。例えば、出力形式選択部３２２は、図５Ａの出力タイミング選択テーブルを参照して、出力形式情報及び走行環境の組み合わせに応じた出力タイミングを選択する。なお、図５Ａは、「○」に対応する組み合わせの場合に配信情報の出力が許可され、「×」に対応する組み合わせの場合に配信情報の出力が禁止される、ことを図示する。一例として、走行環境「停止」の場合には、出力形式情報「１」〜「６」の何れであっても配信情報の出力が許可されるが、走行環境「加速」の場合には、出力形式情報「１」又は「２」のときに配信情報の出力が許可され、出力形式情報「３」〜「６」の何れかのときに配信情報の出力が禁止される。
【００４３】
＜Ｓ１３４−１４＞  出力形式選択部３２２は、配信情報の出力が許可されたか否かを判定する。配信情報の出力が許可された場合には（Ｓ１３４−１４のＹ）、Ｓ１３４−１６が実行される。一方、配信情報の出力が禁止された場合には（Ｓ１３４−１４のＮ）、Ｓ１３４−１２に戻る。Ｓ１３４−１２〜Ｓ１３４−１４で構成されるループは、配信情報の出力が許可されるまで繰り返される。
【００４４】
＜Ｓ１３４−１６＞  出力形式選択部３２２は、Ｓ１３４−１０で決定した出力形式情報に基づいて、出力態様を選択する。例えば、出力形式選択部３２２は、図５Ｂの出力態様選択テーブルを参照して、出力形式情報に応じた出力態様を選択する。なお、図５Ｂは、「○」に対応する出力態様が選択され、「×」に対応する出力態様が選択されない、ことを図示する。一例として、出力形式情報「１」〜「３」の何れかの場合には画像及び音声の両方が選択され、出力形式情報「４」又は「５」の場合には音声のみが選択され、出力形式情報「６」の場合には画像及び音声の何れも選択されない。Ｓ１３４−１６が終了すると、図２のＳ１３６が実行される。
【００４５】
図２のＳ１３６では、Ｓ１３４−１６で選択した出力態様に基づいて、配信情報が出力される。一例として、出力形式情報「１」〜「３」の何れかの場合には表示部４２に配信情報の画像が表示されるとともに、音声出力部４４から配信情報の音声が出力され、出力形式情報「４」又は「５」の場合には音声出力部４４から配信情報の音声が出力され、出力形式情報「６」の場合には配信情報が届いたことを示す通知（例えば、「配信情報があります」という簡単なメッセージ）が出力される。
【００４６】
仮に、図２のＳ１１２が実行されなかった場合には、配信情報の種類に応じた出力タイミングで配信情報が出力されるだけでなく、重要な情報（例えば、経路探索結果の案内情報）の上に、重要でない配信情報（例えば、「タイムサービス情報」）が重ねて表示される場合がある。
【００４７】
これに対して、第１実施形態によれば、複数の出力パラメータに基づいて出力形式が選択される。即ち、配信情報の種類に応じた出力タイミングの代わりに、配信情報の緊急度に応じた出力タイミングと、配信情報の緊急度に応じた出力態様とに基づいて、配信情報が出力される。これにより、ユーザにとって適切な出力形式（出力タイミング及び出力態様）で、配信情報を出力できる。この場合には、重要でない情報が、重要な情報の上に重ねて表示されることはない。
【００４８】
なお、記憶部１６及び情報サーバ５０の配信情報データベースの一方は省略可能である。例えば、情報配信システム１が情報サーバ５０を備える場合には、記憶部１６の配信情報データベースは省略可能であり、記憶部１６に配信情報データベースが記憶される場合には、情報サーバ５０は省略可能である。
【００４９】
また、第１実施形態では、出力形式選択部３２２が走行環境を考慮して出力タイミングを選択する例について説明したが、本発明の範囲はこれに限られるものではない。第１実施形態の第１変形例では、出力形式選択部３２２は、走行環境を考慮せずに、出力タイミング及び出力態様を選択しても良い。第１実施形態の第２変形例では、出力形式選択部３２２は、出力形式情報に基づいて出力タイミングを選択し（図３のＳ１３４−１２）、出力形式情報及び走行環境に基づいて出力タイミングを選択しても良い（Ｓ１３４−１６）。
【００５０】
また、第１実施形態では、出力形式選択部３２２は、表示部４２を配信情報の出力先として選択した場合に、複数の出力パラメータと、走行環境と、に基づいて、配信情報の表示の位置、表示の色、及び表示のサイズの少なくとも１つを、さらに選択しても良い。
【００５１】
また、第１実施形態では、出力形式選択部３２２は、音声出力部４４を配信情報の出力先として選択した場合に、複数の出力パラメータと、走行環境と、に基づいて、音量、音質、及び再生速度の少なくとも１つを、さらに選択しても良い。
【００５２】
また、第１実施形態では、端末装置２０が複数の配信情報を受信した場合に、出力形式選択部３２２は、重要度及び緊急度に基づいて、出力順序を選択しても良い。即ち、出力形式は、出力タイミングと、出力態様と、複数の配信情報の出力順序と、を含む。
【００５３】
]（第２実施形態）
本発明の第２実施形態について説明する。本発明の第２実施形態は、配信サーバが、複数の出力パラメータが付与された配信情報を端末装置に送信し、端末装置が、複数の出力パラメータを補正し、補正した出力パラメータに基づいて、配信情報の出力形式を選択する、例である。なお、上述の実施形態と同様の内容についての説明は省略する。
【００５４】
第２実施形態の情報配信システム１の構成について説明する。図６は、第２実施形態の端末制御部３２の構成を示すブロック図である。なお、配信サーバ１０、情報サーバ５０、及びネットワーク７０、並びに端末装置３０の通信部３４、記憶部３６、操作部３８、走行環境検出部４０、表示部４２、及び音声出力部４４は、第１実施形態と同様である（図１を参照）。
【００５５】
端末制御部３２は、端末装置３０を制御する。例えば、端末制御部３２は、コンピュータプロセッサである。図６に示すように、このコンピュータプロセッサは、端末装置３０の制御プログラムを起動することによって、端末受信部３２０、出力形式選択部３２２、出力制御部３２４、及び出力パラメータ補正部３２６として動作する。端末受信部３２０、出力形式選択部３２２、出力制御部３２４、及び出力パラメータ補正部３２６の詳細については、後述する。
【００５６】
第２実施形態の情報配信処理について説明する。なお、第２実施形態の情報配信処理の手順は、第１実施形態と同様である（図２を参照）。
【００５７】
第２実施形態の出力パラメータの設定（図２のＳ１１２）及び出力形式の選択（図２のＳ１３４）について説明する。図７は、第２実施形態の出力パラメータの設定（図２のＳ１１２）及び出力形式の選択（図２のＳ１３４）のフローチャートである。
【００５８】
＜Ｓ１１２−２０〜Ｓ１１２−２２＞  第１実施形態と同様である（図３のＳ１１２−１０〜Ｓ１１２−１２を参照）。
【００５９】
＜Ｓ１１２−２４＞  出力パラメータ設定部１２２は、補正パラメータを設定する。補正パラメータとは、出力パラメータの少なくとも１つを補正するために用いられる情報である。後述するように、補正パラメータは、例えば、時間指定パラメータ及び走行環境指定パラメータの少なくとも１つである。なお、Ｓ１１２−２４は省略可能である。
【００６０】
図７のＳ１１２−２２が終了すると、図２のＳ１１４が実行される。その結果、図４Ｂの複数の出力パラメータ（緊急度及び重要度）が付与された配信情報が、配信サーバ１０から端末装置３０に送信される。Ｓ１１４が終了すると、図２のＳ１３０〜Ｓ１３２が実行される。Ｓ１３２が終了すると、図７のＳ１３４−２０が実行される。
【００６１】
＜Ｓ１３４−２０＞  出力パラメータ補正部３２６は、図２のＳ１３２で検出した走行環境に基づいて、複数の出力パラメータの少なくとも１つを補正する。
【００６２】
第２実施形態の出力パラメータの補正（図７のＳ１３４−２０）の第１例について説明する。図８は、第２実施形態の出力パラメータの補正（図７のＳ１３４−２０）の第１例の説明図である。
【００６３】
出力パラメータ補正部３２６は、端末受信部３２０が配信情報を受信した受信時刻Ｔ０からの経過時間に基づいて、複数の出力パラメータの少なくとも１つを補正する。例えば、図８に示すように、出力パラメータ補正部３２６は、受信時刻Ｔ０で受信した緊急度「高」及び重要度「高」を、受信時刻Ｔ０からの経過時間に基づいて補正する。その結果、時刻Ｔ１では、緊急度「低」及び重要度「低」になる。これにより、鮮度の低い（即ち、受信時刻Ｔ０からの経過時間が長い）配信情報が、緊急度「低」及び重要度「低」という出力パラメータに応じた出力形式で出力される。
【００６４】
第２実施形態の出力パラメータの補正（図７のＳ１３４−２０）の第１例によれば、補正パラメータを用いることなく、受信時刻Ｔ０からの経過時間に基づいて、複数の出力パラメータの少なくとも１つが補正される。これにより、情報の鮮度に応じた適切な出力形式で、配信情報を出力できる。
【００６５】
第２実施形態の出力パラメータの補正（図７のＳ１３４−２０）の第２例について説明する。図９Ａ〜図９Ｄは、第２実施形態の出力パラメータの補正（図７のＳ１３４−２０）の第２例の説明図である。なお、第２実施形態の出力パラメータの補正（図７のＳ１３４−２０）の第２例では、配信情報の送信（図２のＳ１１４）において、サーバ送信部１２４は、出力パラメータ（緊急度及び重要度）に加えて、補正パラメータ（時間指定パラメータ）を配信情報に付与する（図９Ａを参照）。時間指定パラメータとは、時間に応じた配信情報の出力形式を指定するためのパラメータである。例えば、時間指定パラメータは、配信情報を出力すべき期間（以下「指定出力期間」という）、配信情報の有効期限（以下「指定出力期限」）、及び時間帯別に定められた出力パラメータ（以下「時間帯別出力パラメータ」という）の少なくとも１つである。
【００６６】
図９Ｂに示すように、時間指定パラメータが指定出力期間である場合には、出力パラメータ補正部３２６は、受信時刻Ｔ０で受信した緊急度「低」及び重要度「低」を、現在時刻が指定出力期間（例えば、１２：００〜１３：００）に含まれない場合には維持し、現在時刻が指定出力期間に含まれる場合には、緊急度「高」及び重要度「高」に変更する。
【００６７】
図９Ｃに示すように、時間指定パラメータが指定出力期限である場合には、出力パラメータ補正部３２６は、受信時刻Ｔ０で受信した緊急度「高」及び重要度「高」を、現在時刻が指定出力期限ＴＬに達したときに、緊急度「低」及び重要度「低」に変更する。
【００６８】
図９Ｄに示すように、時間指定パラメータが時間帯別出力パラメータである場合には、出力パラメータ補正部３２６は、現在時刻が時間帯条件に該当する場合には、時間帯条件に対応する重要度及び緊急度を選択し、現在時刻が時間帯条件に該当しない場合には、時間指定パラメータに含まれていない出力パラメータ（例えば、図９Ａの重要度及び緊急度）を選択する。
【００６９】
より具体的な例として、配信情報の種類がタイムサービス情報であり、図４Ａに基づいて出力パラメータが設定され、且つ、図９Ｄの時間別出力パラメータが設定される例について説明する。この場合には、出力パラメータ補正部３２６は、現在時刻が１１：００〜１２：００の場合には、重要度「中」且つ緊急度「低」を選択し、現在時刻が１２：００〜１３：００の場合には、重要度「高」且つ緊急度「低」を選択し、現在時刻が１３：００〜１５：００の場合には、重要度「中」且つ緊急度「高」を選択する（図９Ｄを参照）。一方、出力パラメータ補正部３２６は、現在時刻が１１：００〜１５：００の場合（即ち、現在時刻が時間帯条件に該当しない場合）には、図４Ａの重要度「中」且つ緊急度「低」を選択する。
【００７０】
第２実施形態の出力パラメータの補正（図７のＳ１３４−２０）の第２例によれば、補正パラメータ（時間指定パラメータ）及び現在時刻に基づいて、複数の出力パラメータの少なくとも１つが補正される。これにより、現在時刻に応じた適切な出力形式で、配信情報を出力できる。
【００７１】
第２実施形態の出力パラメータの補正（図７のＳ１３４−２０）の第３例について説明する。図９Ｅ〜図９Ｇは、第２実施形態の出力パラメータの補正（図７のＳ１３４−２０）の第３例の説明図である。なお、第２実施形態の出力パラメータの補正（図７のＳ１３４−２０）の第３例では、配信情報の送信（図２のＳ１１４）において、サーバ送信部１２４は、出力パラメータ（緊急度及び重要度）に加えて、補正パラメータ（走行環境指定パラメータ）を配信情報に付与する（図９Ｅを参照）。走行環境指定パラメータとは、走行環境検出部４０が検出した走行環境に応じた出力形式を指定するためのパラメータである。例えば、走行環境指定パラメータは、配信情報を出力すべき区間（以下「指定出力区間」）及び場所別に定められた出力パラメータ（以下「場所別出力パラメータ」という）の少なくとも１つである。
【００７２】
図９Ｆに示すように、走行環境指定パラメータが指定出力区間である場合には、出力パラメータ補正部３２６は、受信場所Ｐ０で受信した緊急度「低」及び重要度「低」を、走行環境検出部４０が検出した端末装置３０の位置が指定出力区間の始点Ｐ１に到達したとき（例えば、Ａ地区からＢ地区へ入ったとき）に、緊急度「高」及び重要度「高」に変更する。走行環境検出部４０が検出した端末装置３０の位置が指定出力区間の始点Ｐ１から終点Ｐ２の間に含まれる間（例えば、端末装置３０の位置がＢ地区内である間）は、緊急度「高」及び重要度「高」が維持される。また、出力パラメータ補正部３２６は、緊急度「高」及び重要度「高」を、走行環境検出部４０が検出した端末装置３０の位置が指定出力区間の終点Ｐ２に到達したとき（例えば、Ｂ地区からＣ地区へ入ったとき）に、緊急度「低」及び重要度「低」に変更する。
【００７３】
図９Ｇに示すように、走行環境指定パラメータが指定出力場所である場合には、出力パラメータ補正部３２６は、走行環境検出部４０が検出した端末装置３０の位置が指定出力場所に到達したときに、緊急度及び重要度を変更する。例えば、端末装置３０の位置が指定出力場所Ｐ１に到達したときに、受信場所Ｐ０で受信した緊急度「低」及び重要度「低」が、緊急度「高」及び重要度「高」に変化する。次いで、緊急度「高」及び重要度「高」が、端末装置３０の位置に応じて、緊急度「低」及び重要度「低」に変化する。次いで、端末装置３０の位置が指定出力場所Ｐ２に到達したときに、緊急度「低」及び重要度「低」が、緊急度「中」及び重要度「中」に変化する。次いで、緊急度「中」及び重要度「中」が、端末装置３０の位置に応じて、緊急度「低」及び重要度「低」に変化する。
【００７４】
第２実施形態の出力パラメータの補正（図７のＳ１３４−２０）の第３例によれば、補正パラメータ（走行環境指定パラメータ）及び端末装置３０の位置に基づいて、複数の出力パラメータの少なくとも１つが補正される。これにより、端末装置３０の位置に応じた適切な出力形式で、配信情報を出力できる。
【００７５】
第２実施形態の出力パラメータの補正（図７のＳ１３４−２０）の第４例について説明する。図９Ｈは、第２実施形態の出力パラメータの補正（図７のＳ１３４−２０）の第４例の説明図である。なお、第２実施形態の出力パラメータの補正（図７のＳ１３４−２０）の第４例では、配信情報の送信（図２のＳ１１４）において、サーバ送信部１２４は、出力パラメータ（緊急度及び重要度）に加えて、補正パラメータ（走行環境指定パラメータ）を配信情報に付与する（図９Ｅを参照）。
【００７６】
より具体的な例として、走行環境指定パラメータが「Ｂ地区開催」であり、配信情報がＢ地区で開催されるイベントのイベント情報である、例について説明する。図９Ｈに示すように、出力パラメータ補正部３２６は、走行環境指定パラメータと端末装置３０の走行環境とが一致する場合には、出力パラメータのランクが上がるように、出力パラメータを補正し、走行環境指定パラメータと端末装置３０の走行環境とが一致しない場合には、出力パラメータのランクが下がるように、出力パラメータを補正する。例えば、端末装置３０の走行方向が、端末装置３０の位置からＢ地区へ向かう方向である場合（例えば、ユーザがＢ地区に向かうルートを走行している場合）には、出力パラメータ補正部３２６は、重要度「中」及び緊急度「中」を、重要度「高」及び緊急度「高」に変更する。一方、端末装置３０の走行方向が、端末装置３０の位置から、Ｂ地区とは反対のＣ地区へ向かう方向である場合（例えば、ユーザが、Ｂ地区を経由しない高速道路を走行している場合）には、出力パラメータ補正部３２６は、重要度「中」及び緊急度「中」を、重要度「低」及び緊急度「低」に変更する。
【００７７】
第２実施形態の出力パラメータの補正（図７のＳ１３４−２０）の第４例によれば、走行環境指定パラメータ及び走行環境に基づいて、複数の出力パラメータの少なくとも１つが補正される。これにより、配信情報の内容及び走行環境に応じた適切な出力形式で、配信情報を出力できる。
【００７８】
第２実施形態の出力パラメータの補正（図７のＳ１３４−２０）の第５例について説明する。図９Ｉ及び図９Ｊは、第２実施形態の出力パラメータの補正（図７のＳ１３４−２０）の第５例の説明図である。なお、第２実施形態の出力パラメータの補正（図７のＳ１３４−２０）の第５例では、配信情報の送信（図２のＳ１１４）において、サーバ送信部１２４は、出力パラメータ（緊急度及び重要度）に加えて、補正パラメータ（ユーザ属性パラメータ）を配信情報に付与する（図９Ｉを参照）。ユーザ属性パラメータとは、配信情報を利用するユーザに応じた出力形式を指定するためのパラメータである。例えば、ユーザ属性パラメータは、ユーザの年齢、ユーザの性別、ユーザの嗜好（例えば、施設の検索頻度）、及びユーザの運転技量の少なくとも１つである。一例として、出力パラメータ設定部１２２は、記憶部１６に予め記憶されたプロフィール情報又は端末装置２０が送信したプロフィール情報を用いて、ユーザ属性パラメータを設定する。
【００７９】
図９Ｊに示すように、出力パラメータ補正部３２６は、配信情報に付与されたユーザ属性パラメータに基づいて、配信情報に付与された複数の出力パラメータの少なくとも１つを補正する。一例として、出力パラメータ補正部３２６は、ユーザ属性パラメータ「男性」の場合には、タイムサービス情報の重要度「低」を維持し、ユーザ属性パラメータ「女性」の場合には、タイムサービス情報の重要度「低」を「高」に補正する。
【００８０】
第２実施形態の出力パラメータの補正（図７のＳ１３４−２０）の第５例によれば、ユーザ属性パラメータ及び走行環境に基づいて、複数の出力パラメータの少なくとも１つが補正される。これにより、ユーザ及び走行環境に応じた適切な出力形式で、配信情報を出力できる。
【００８１】
なお、出力パラメータ補正部３２６は、「低」と「中」との間、「中」と「高」との間、及び「高」と「低」との間で、双方向に、緊急度及び重要度を変更することができる。また、出力パラメータ補正部３２６は、緊急度及び重要度を連動させながら変更しても良いし、緊急度及び重要度を個別に変更しても良い。
【００８２】
また、第２実施形態の出力パラメータの補正（図７のＳ１３４−２０）の第１例〜第５例は、互いに組み合わせることが可能である。
【００８３】
＜Ｓ１３４−２１＞  出力形式選択部３２２は、出力パラメータ補正部３２６が補正した複数の出力パラメータに基づいて、配信情報の出力形式の出力形式情報を決定する。例えば、出力形式選択部３２２は、第１実施形態と同様に、図４Ｃの出力形式情報決定テーブルを参照して、緊急度及び重要度の組み合わせに応じた出力形式情報を決定する。
【００８４】
＜Ｓ１３４−２２〜Ｓ１３４−２６＞  第１実施形態と同様である（図３のＳ１３４−１２〜Ｓ１３４−１６を参照）。
【００８５】
第２実施形態によれば、走行環境に基づいて、複数の出力パラメータの少なくとも１つが補正される。これにより、走行環境に応じた適切な出力形式で、配信情報を出力できる。
【００８６】
（第３実施形態）
本発明の第３実施形態について説明する。第３実施形態は、端末装置が、走行環境を配信サーバに送信し、配信サーバが、走行環境に応じた複数の出力パラメータが付与された配信情報を端末装置に送信し、端末装置が、複数の出力パラメータに基づいて、配信情報の出力形式を選択する、という例である。なお、上述の実施形態と同様の内容についての説明は省略する。
【００８７】
第３実施形態の情報配信システム１の構成について説明する。図１０は、第３実施形態のサーバ制御部１２及び端末制御部３２の構成を示すブロック図である。なお、情報サーバ５０、及びネットワーク７０、配信サーバ１０の通信部１４及び記憶部１６、並びに端末装置３０の通信部３４、記憶部３６、操作部３８、走行環境検出部４０、表示部４２、及び音声出力部４４は、第１実施形態と同様である（図１を参照）。
【００８８】
サーバ制御部１２は、配信サーバ１０を制御する。例えば、サーバ制御部１２は、コンピュータプロセッサである。このコンピュータプロセッサは、配信サーバ１０の制御プログラムを起動することによって、配信情報取得部１２０、出力パラメータ設定部１２２、サーバ送信部１２４、送信タイミング決定部１２６、及びサーバ受信部１２８として動作する。配信情報取得部１２０、出力パラメータ設定部１２２、サーバ送信部１２４、送信タイミング決定部１２６、及びサーバ受信部１２８の詳細については、後述する。
【００８９】
端末制御部３２は、端末装置３０を制御する。例えば、端末制御部３２は、コンピュータプロセッサである。図１０に示すように、このコンピュータプロセッサは、端末装置３０の制御プログラムを起動することによって、端末受信部３２０、出力形式選択部３２２、出力制御部３２４、及び端末送信部３２８として動作する。端末受信部３２０、出力形式選択部３２２、出力制御部３２４、及び端末送信部３２８の詳細については、後述する。
【００９０】
端末送信部３２８は、ネットワーク７０を介して、所定のタイミングで（例えば、一定間隔毎に）、走行環境検出部４０が検出した走行環境を配信サーバ１０に送信する。サーバ受信部１２８は、ネットワーク７０を介して、端末送信部３２８が送信した走行環境を受信する。
【００９１】
第３実施形態の情報配信処理について説明する。なお、第３実施形態の情報配信処理の手順は、第１実施形態と同様である（図２を参照）。
【００９２】
第３実施形態の出力パラメータの設定（図２のＳ１１２）及び出力形式の選択（図２のＳ１３４）の第１例について説明する。図１１は、第３実施形態の出力パラメータの設定（図２のＳ１１２）及び出力形式の選択（図２のＳ１３４）の第１例のフローチャートである。
【００９３】
＜Ｓ１１２−３０〜Ｓ１１２−３２＞  第１実施形態と同様である（図３のＳ１１２−１０〜Ｓ１１２−１２を参照）。
【００９４】
＜Ｓ１１２−３４＞  送信タイミング決定部１２６は、Ｓ１１２−３０〜Ｓ１１２−３２で設定した複数の出力パラメータ（緊急度及び重要度）の送信タイミングを決定する。例えば、送信タイミング決定部１２６は、図４Ｃの出力形式情報決定テーブルと同様のテーブルを参照して、緊急度及び重要度の組み合わせに応じた送信タイミングを決定する。一例として、重要度「高」及び緊急度「高」の場合には、すぐに送信することを決定し、重要度「低」及び緊急度「低」の場合には、所定時間経過後に送信することを決定する。
【００９５】
図１１のＳ１１２−３４が終了すると、図２のＳ１１４が実行される。その結果、図４Ｂの複数の出力パラメータ（緊急度及び重要度）が付与された配信情報が、Ｓ１１２−３４で決定した送信タイミングで、配信サーバ１０から端末装置３０に送信される。Ｓ１１４が終了すると、図２のＳ１３０〜Ｓ１３２が実行される。Ｓ１３２が終了すると、図１１のＳ１３４−３０〜Ｓ１３４−３６が実行される。Ｓ１３４−３０〜Ｓ１３４−３６は、第１実施形態と同様である（図３のＳ１３４−１０〜Ｓ１３４−１６を参照）。
【００９６】
第３実施形態の出力パラメータの設定（図２のＳ１１２）及び出力形式の選択（図２のＳ１３４）の第１例によれば、配信サーバ１０が複数の出力パラメータの送信タイミングを決定するので、複数の出力パラメータは、配信サーバ１０から端末装置２０へ適切なタイミングで送信される。これにより、端末装置２０が、不適切なタイミングで出力形式の選択を実行することがなくなり、端末装置２０の処理負担を低減できる。
【００９７】
第３実施形態の出力パラメータの設定（図２のＳ１１２）及び出力形式の選択（図２のＳ１３４）の第２例について説明する。図１２は、第３実施形態の出力パラメータの設定（図２のＳ１１２）及び出力形式の選択（図２のＳ１３４）の第２例のフローチャートである。
【００９８】
＜Ｓ１１２−４０＞  サーバ受信部１２８は、端末送信部３２８が送信した走行環境を取得する。
【００９９】
＜Ｓ１１２−４１〜Ｓ１１２−４２＞  第１実施形態と同様である（図３のＳ１１２−１０〜Ｓ１１２−１２を参照）。
【０１００】
＜Ｓ１１２−４４＞  送信タイミング決定部１２６は、Ｓ１１２−４０で取得した走行環境に基づいて、Ｓ１１２−４１〜Ｓ１１２−４２で設定した複数の出力パラメータ（緊急度及び重要度）の送信タイミングを決定する。例えば、送信タイミング決定部１２６は、図５Ａの出力タイミング選択テーブルと同様のテーブルを参照して、走行環境に応じた送信タイミングを決定する。一例として、走行環境「停止」の場合には、すぐに送信することを決定し、走行環境「加速」の場合には、所定時間経過後に送信することを決定する。
【０１０１】
図１２のＳ１１２−４４が終了すると、図２のＳ１１４が実行される。その結果、図４Ｂの複数の出力パラメータ（緊急度及び重要度）が付与された配信情報が、Ｓ１１２−４４で決定した送信タイミングで、配信サーバ１０から端末装置３０に送信される。Ｓ１１４が終了すると、図２のＳ１３０〜Ｓ１３２が実行される。Ｓ１３２が終了すると、図１２のＳ１３４−４０〜Ｓ１３４−４６が実行される。Ｓ１３４−４０〜Ｓ１３４−４６は、第１実施形態と同様である（図３のＳ１３４−１０〜Ｓ１３４−１６を参照）。
【０１０２】
第３実施形態の出力パラメータの設定（図２のＳ１１２）及び出力形式の選択（図２のＳ１３４）の第２例によれば、配信サーバ１０が、端末装置２０から取得した走行環境に基づいて、複数の出力パラメータの送信タイミングを決定するので、複数の出力パラメータは、走行環境の観点から適切なタイミングで送信される。これにより、端末装置２０が、走行環境の観点から不適切なタイミングで出力形式の選択を実行することがなくなり、端末装置２０の処理負担を低減できる。
【０１０３】
（第４実施形態）
本発明の第４実施形態について説明する。本発明の第４実施形態は、属性パラメータが付与された配信情報を端末装置に送信し、端末装置が、複数の出力パラメータを設定し、属性パラメータに基づいて複数の出力パラメータの少なくとも１つを補正し、補正した複数の出力パラメータに基づいて出力形式を選択する、例である。なお、上述の実施形態と同様の内容についての説明は省略する。
【０１０４】
第４実施形態の情報配信システム１の構成について説明する。図１３は、第４実施形態のサーバ制御部１２及び端末制御部３２の構成を示すブロック図である。なお、情報サーバ５０、及びネットワーク７０、配信サーバ１０の通信部１４及び記憶部１６、並びに端末装置３０の通信部３４、記憶部３６、操作部３８、走行環境検出部４０、表示部４２、及び音声出力部４４は、第１実施形態と同様である（図１を参照）。
【０１０５】
サーバ制御部１２は、配信サーバ１０を制御する。例えば、サーバ制御部１２は、コンピュータプロセッサである。図１３に示すように、このコンピュータプロセッサは、配信サーバ１０の制御プログラムを起動することによって、配信情報取得部１２０、サーバ送信部１２４、及び属性パラメータ設定部１３０として動作する。配信情報取得部１２０、サーバ送信部１２４、及び属性パラメータ設定部１３０の詳細については、後述する。
【０１０６】
端末制御部３２は、端末装置３０を制御する。例えば、端末制御部３２は、コンピュータプロセッサである。図１３に示すように、このコンピュータプロセッサは、端末装置３０の制御プログラムを起動することによって、端末受信部３２０、出力形式選択部３２２、出力制御部３２４、出力パラメータ補正部３２６、及び出力パラメータ設定部３３０として動作する。端末受信部３２０、出力形式選択部３２２、出力制御部３２４、出力パラメータ補正部３２６、及び出力パラメータ設定部３３０については、後述する。
【０１０７】
第４実施形態の情報配信処理について説明する。図１４は、第４実施形態の情報配信処理の手順を示すフローチャートである。図１５は、第４実施形態の属性パラメータが付与された配信情報のデータ構造の一例を示す図である。
【０１０８】
＜Ｓ４１０＞  第１実施形態と同様である（図２のＳ１１０を参照）。
【０１０９】
＜Ｓ４１３＞  属性パラメータ設定部１３０は、属性パラメータを設定する。属性パラメータは、第２実施形態の走行環境指定パラメータ及びユーザ属性パラメータの少なくとも１つである。
【０１１０】
＜Ｓ４１４＞  サーバ送信部１２４は、属性パラメータ設定部１３０が設定した属性パラメータを、配信情報取得部１２０が取得した配信情報に付与し、属性パラメータが付与された配信情報（図１５を参照）を、ネットワーク７０を介して端末装置３０に送信する。
【０１１１】
＜Ｓ４３０＞  第１実施形態と同様である（図２のＳ１３０を参照）。
【０１１２】
＜Ｓ４３１＞  出力パラメータ設定部３３０は、第１実施形態と同様に、配信情報の出力形式の選択に用いられる複数の出力パラメータを設定する（図２のＳ１１２を参照）。
【０１１３】
＜Ｓ４３１＞  出力パラメータ補正部３２６は、第２実施形態の第４例又は第５例と同様に、配信情報に付与された属性パラメータに基づいて、配信情報に付与された複数の出力パラメータの少なくとも１つを補正する（図９Ｅ及び図９Ｈ〜図９Ｊを参照）。
【０１１４】
＜Ｓ４３３〜Ｓ４３６＞  第１実施形態と同様である（図２のＳ１３２〜１３６を参照）。
【０１１５】
第４実施形態によれば、配信サーバ１０が、属性パラメータを設定し、端末装置２０が、複数の出力パラメータを設定し、設定した複数の出力パラメータの少なくとも１つを、属性パラメータに基づいて補正する。その結果、配信サーバ１０が複数の出力パラメータを配信情報に付与しなくても、端末装置２０は、配信情報の内容又はユーザに応じた適切な出力形式で、配信情報を出力できる。
【０１１６】
本発明の実施形態に係る情報配信システム１の少なくとも一部は、ハードウェアで構成しても良いし、ソフトウェアで構成しても良い。ソフトウェアで構成する場合には、情報配信システム１の少なくとも一部の機能を実現するプログラムをフレキシブルディスクやＣＤ−ＲＯＭ等の記録媒体に収納し、コンピュータに読み込ませて実行させても良い。記録媒体は、磁気ディスクや光ディスク等の着脱可能なものに限定されず、ハードディスク装置やメモリなどの固定型の記録媒体でも良い。
【０１１７】
また、本発明の実施形態に係る情報配信システム１の少なくとも一部の機能を実現するプログラムを、インターネット等の通信回線（無線通信も含む）を介して頒布しても良い。さらに、同プログラムを暗号化したり、変調をかけたり、圧縮した状態で、インターネット等の有線回線や無線回線を介して、あるいは記録媒体に収納して頒布しても良い。
【０１１８】
なお、本発明は、上述した実施形態に限定されるものではなく、その要旨を逸脱しない範囲で構成要素を変形して具体化される。また、上述した実施形態に開示されている複数の構成要素の適宜な組み合わせにより、種々の発明が形成可能である。例えば、上述した実施形態に示される全構成要素から幾つかの構成要素を削除してもよい。さらに、異なる実施形態にわたる構成要素を適宜組み合わせてもよい。
【符号の説明】
【０１１９】
１  情報配信システム
１０  配信サーバ
１２  サーバ制御部
１２０  配信情報取得部
１２２  出力パラメータ設定部
１２４  サーバ送信部
１２６  送信タイミング決定部
１２８  サーバ受信部
１３０  属性パラメータ設定部
１４  通信部
１６  記憶部
３０  端末装置
３２  端末制御部
３２０  端末受信部
３２２  出力形式選択部
３２４  出力制御部
３２６  出力パラメータ補正部
３２８  端末送信部
３３０  出力パラメータ設定部
３４  通信部
３６  記憶部
３８  操作部
４０  走行環境検出部
４２  表示部
４４  音声出力部
５０  情報サーバ
７０  ネットワーク
【図１】
2013105455.tif 000003
【図２】
2013105455.tif 000004
【図３】
2013105455.tif 000005
【図４Ａ】
2013105455.tif 000006
【図４Ｂ】
2013105455.tif 000007
【図４Ｃ】
2013105455.tif 000008
【図５Ａ】
2013105455.tif 000009
【図５Ｂ】
2013105455.tif 000010
【図６】
2013105455.tif 000011
【図７】
2013105455.tif 000012
【図８】
2013105455.tif 000013
【図９Ａ】
2013105455.tif 000014
【図９Ｂ】
2013105455.tif 000015
【図９Ｃ】
2013105455.tif 000016
【図９Ｄ】
2013105455.tif 000017
【図９Ｅ】
2013105455.tif 000018
【図９Ｆ】
2013105455.tif 000019
【図９Ｇ】
2013105455.tif 000020
【図９Ｈ】
2013105455.tif 000021
【図９Ｉ】
2013105455.tif 000022
【図９Ｊ】
2013105455.tif 000023
【図１０】
2013105455.tif 000024
【図１１】
2013105455.tif 000025
【図１２】
2013105455.tif 000026
【図１３】
2013105455.tif 000027
【図１４】
2013105455.tif 000028
【図１５】
2013105455.tif 000029